(57)【要約】【課題】電源供給をオフにして休止させる回路ブロックの入力部への信号入力経路に電気的接続を遮断する回路部品を追加することなく、該入力部を破壊から保護可能な電子機器及び省電力制御方法を得ること。【解決手段】省電力制御を実施する電子機器において、常時電源供給を受けている非省電力回路ブロックのうち、省電力モード時に電源供給がオフされて休止状態になる１以上の省電力回路ブロックに信号を出力する１以上の非省電力回路ブロックは、それぞれ、前記省電力回路ブロックへの電源供給をオフする制御が行われる際に、前記省電力回路ブロックへの出力信号レベルを回路グランドレベルに保持する手段を備える。【選択図】        図１
2012173882.tif 000002
【特許請求の範囲】
【請求項１】
省電力制御を実施する電子機器において、
常時電源供給を受けている非省電力回路ブロックのうち、省電力モード時に電源供給がオフされて休止状態になる１以上の省電力回路ブロックに信号を出力する１以上の非省電力回路ブロックは、それぞれ、
前記省電力回路ブロックへの電源供給をオフする制御が行われる際に、前記省電力回路ブロックへの出力信号レベルを回路グランドレベルに保持制御する手段
を備えることを特徴とする電子機器。
【請求項２】
省電力制御を実施する電子機器において、
常時電源供給を受けている非省電力回路ブロックのうち、省電力モード時に電源供給がオフされて休止状態になる１以上の省電力回路ブロックに信号を出力する１以上の非省電力回路ブロックが、それぞれ、前記省電力回路ブロックと信号授受を行うＩＯコントローラと該ＩＯコントローラを制御するＣＰＵとを備える場合において、
前記ＣＰＵが省電力モードへの移行タイミングに応答して前記ＩＯコントローラに対し前記省電力回路ブロックへの出力信号レベルを回路グランドレベルに制御するよう要求する工程と、
前記ＩＯコントローラが該要求を受けて前記省電力回路ブロックへの出力信号レベルを回路グランドレベルに保持する工程と、
その後、前記省電力回路ブロックへの電源供給をオフにする工程と
を含むことを特徴とする省電力制御方法。
【発明の詳細な説明】
【技術分野】
【０００１】
本発明は、省電力制御を実施する電子機器及び省電力制御方法に関するものである。
【背景技術】
【０００２】
省電力制御を実施する電子機器においては、省電力モード時に、電源供給をオフにして休止状態にする１以上の回路ブロックＡと、電源供給を常時オンにして休止状態にしない１以上の回路ブロックＢとが予め決められている。
【０００３】
ところで、省電力モード時においては、電源供給をオフにして回路ブロックＡを休止させるときに、その回路ブロックＡに回路ブロックＢから出力信号が入力されると、回路ブロックＡの入力部は、その入力される信号の電荷により破壊される場合が起こり、信頼性の低下を招来する恐れがある。
【０００４】
このような事態の発生を防ぐため、従来では、回路ブロックＡの入力端と回路ブロックＢの出力端との間の信号経路に開閉スイッチを設け、回路ブロックＡを休止させる場合に開閉スイッチを開路させて、回路ブロックＡの入力端と回路ブロックＢの出力端との間の電気的接続を遮断していた（例えば、特許文献１等）。
【先行技術文献】
【特許文献】
【０００５】
【特許文献１】特開２００８−１８２４５３号公報
【発明の概要】
【発明が解決しようとする課題】
【０００６】
しかしながら、上記従来の技術では、電源供給をオフにして休止させる回路ブロックの入力部を保護するために、電源供給を常時オンにしている回路ブロックの出力部との間の電気的接続を遮断する回路部品を付加する必要があり、コスト増を招来する。また、休止させる回路ブロックと休止させない回路ブロックは、それぞれ多数存在する電子機器においては、基板実装面積の圧迫を招来するという問題がある。
【０００７】
本発明は、上記に鑑みてなされたものであり、電源供給をオフにして休止させる回路ブロックの入力部への信号入力経路に電気的接続を遮断する回路部品を追加することなく、該入力部を破壊から保護可能な電子機器及び省電力制御方法を得ることを目的とする。
【課題を解決するための手段】
【０００８】
上述した課題を解決し、目的を達成するために、本発明は、省電力制御を実施する電子機器において、常時電源供給を受けている非省電力回路ブロックのうち、省電力モード時に電源供給がオフされて休止状態になる１以上の省電力回路ブロックに信号を出力する１以上の非省電力回路ブロックは、それぞれ、前記省電力回路ブロックへの電源供給をオフする制御が行われる際に、前記省電力回路ブロックへの出力信号レベルを回路グランドレベルに保持制御する手段を備えることを特徴とする。
【発明の効果】
【０００９】
本発明によれば、省電力モード時に、省電力回路ブロックへの電源供給がオフとなる際に、信号出力を行う非省電力回路ブロックは出力信号をグランドレベル“０Ｖ”に制御するので、省電力回路ブロックの入力部へ掛かる電荷はグランドレベルと等しくなり、省電力回路ブロックの入力部に電気的なストレスが掛かるのが防止される。したがって、電源供給をオフにして休止させる省電力回路ブロックの入力部を保護するため従来必要であった電気的接続を遮断するための回路部品を追加することなく、該入力部を静電気による破壊から保護することが可能となり、信頼性の低下を防止することができるという効果を奏する。
【図面の簡単な説明】
【００１０】
【図１】図１は、本発明の実施の形態１による電子機器の構成を示すブロック図である。
【図２】図２は、図１に示す非省電力回路ブロックの具体的な構成例を示すブロック図である。
【図３】図３は、この実施の形態による省電力制御の要部である省電力モードへの移行処理の手順を説明するフローチャートである。
【図４】図４は、本発明の実施の形態２として、この実施の形態による省電力制御を適用する電子機器の具体的な構成例を示すブロック図である。
【発明を実施するための形態】
【００１１】
以下に、本発明にかかる電子機器及び省電力制御方法の実施の形態を図面に基づいて詳細に説明する。なお、この実施の形態によりこの発明が限定されるものではない。
【００１２】
実施の形態１．
図１は、本発明の実施の形態１による電子機器の構成を示すブロック図である。図１において、省電力制御を実施する電子機器１は、省電力モードが適用されない非省電力回路ブロック２と、省電力モードが適用される省電力回路ブロック３とを備えている。なお、非省電力回路ブロック２及び省電力回路ブロック３は、それぞれ１以上設けられている。
【００１３】
非省電力回路ブロック２は、電源４に直接接続され常時電源供給を受けている回路ブロックである。非省電力回路ブロックの中には省電力モードが適用される省電力回路ブロックと信号授受を行わない回路ブロックもあるが、図１では、省電力回路ブロック３と信号授受を行う非省電力回路ブロック２を示してある。
【００１４】
省電力モードが適用される省電力回路ブロック３は、電源４に電源オン／オフスイッチ５を介して接続され省電力モード時に電源オン／オフスイッチ５が開路制御されて休止状態になる回路ブロックである。
【００１５】
以上の構成において、省電力モード時において、電源オン／オフスイッチ５を開路して省電力回路ブロック３への電源供給をオフにし、省電力回路ブロック３を休止させたとき、その省電力回路ブロック３に電源供給が常時オン状態の非省電力回路ブロック２から出力信号６が入力されると、省電力回路ブロック３の入力部は、その入力される信号の電荷により破壊される場合が起こり、信頼性の低下を招来する恐れがある。
【００１６】
そこで、この実施の形態による非省電力回路ブロック２は、省電力回路ブロック３への電源供給をオフにする制御が行われる際に、省電力回路ブロック３への出力信号６の信号レベルを回路グランドレベル“０Ｖ”に保持制御する手段を備えている（図２参照）。
【００１７】
この構成によれば、省電力モード時に省電力回路ブロック３への電源供給がオフとなる際に、信号出力を行う非省電力回路ブロック２は出力信号６をグランドレベル“０Ｖ”に制御するので、省電力回路ブロック３の入力部へ掛かる電荷はグランドレベルと等しくなり、省電力回路ブロック３の入力部に電気的なストレスが掛かるのが防止される。したがって、電源供給をオフにした回路ブロック３の入力部を保護するために従来必要であった電気的接続を遮断する回路部品を付加することなく、省電力回路ブロック３の入力部の破壊及び信頼性低下を防ぐことができる。
【００１８】
次に、図２は、非省電力回路ブロック２の具体的な構成例を示すブロック図である。図２において、非省電力回路ブロック２は、省電力回路ブロック３への出力信号６の信号レベルを回路グランドレベル“０Ｖ”に保持制御する手段として、省電力回路ブロック３と信号授受を行うＩＯコントローラ２ａと、該ＩＯコントローラ２ａを制御するＣＰＵ２ｂとを備えている。
【００１９】
次に、図３を参照して、図２に示す非省電力回路ブロック２の動作（省電力モード時に出力信号レベルを“０Ｖ”にする動作）について説明する。図３は、この実施の形態による省電力制御の要部である省電力モードへの移行処理の手順を説明するフローチャートである。
【００２０】
図３において、ＣＰＵ２ｂは、省電力モードへの移行タイミングを監視し（ステップＳ１）、省電力モードへの移行タイミングの到来を検知すると（ステップＳ１：Ｙｅｓ）、ＩＯコントローラ２ａに対し省電力回路ブロック３への出力信号６の信号レベルを回路グランドレベルに制御するよう要求する（ステップＳ２）。
【００２１】
すると、ＩＯコントローラ２ａは、要求を受けて省電力回路ブロック３への出力信号６の信号レベルを回路グランドレベル（“０Ｖ”）に保持制御する（ステップＳ３）。当該電子機器１において省電力モードを制御する図示しない制御部は、ＩＯコントローラ２ａが出力信号レベルを回路グランドレベルに制御したことを確認すると、電源オン／オフスイッチ５を開路して省電力回路ブロック３への電源供給をオフにする（ステップＳ４）。以降、省電力モードが実施される。
【００２２】
このような手順によれば、省電力モードへ移行する際に、まず、信号出力を行う非省電力回路ブロック２の出力信号レベルを回路グランドレベル（“０Ｖ”）に保持制御し、その後に、省電力回路ブロック３への電源供給をオフにするので、省電力回路ブロック３の入力部に電気的なストレスが掛かるのを確実に防止することができる。
【００２３】
以上のように、この実施の形態１によれば、電源供給をオフにして休止させる省電力回路ブロックの入力部を保護するために従来必要であった電気的接続を遮断するための回路部品を追加することなく、該入力部を静電気による破壊から保護することが可能となり、信頼性の低下を防止することができる。
【００２４】
実施の形態２．
図４は、本発明の実施の形態２として、省電力制御を実施する電子機器の具体的な構成例を示すブロック図である。図４では、実施の形態１を適用する電子機器としてテレビに設けられるコントローラが示されているが、これに限定されるものではない。
【００２５】
テレビの電子回路は、例えば図４に示すように、全体を制御するＣＰＵ１１と、画像データを送信する画像送信ブロック１２と、画像を表示するモニタ１３と、画像送信ブロック１２からの画像データをモニタ１３へ映像表示する制御を行う画像表示コントローラ１４と、画像表示コントローラ１４及びモニタ１３への電源供給をオン／オフする電源スイッチ１５とを備えている。
【００２６】
図１（図２）と対応関係を示すと、ＣＰＵ１１と画像送信ブロック１２とが含まれる回路ブロック１６は、図１（図２）に示す非省電力回路ブロック２に対応している。ＣＰＵ１１は、図２に示すＣＰＵ２ｂに対応し、画像送信ブロック１２は、図２に示すＩＯコントローラ２ａに対応している。また、画像表示コントローラ１４は、図１（図２）に示す省電力回路ブロック３に対応している。電源オン／オフスイッチ１５は、ＣＰＵ１１からのオン／オフ制御信号１７により制御される。また、画像送信ブロック１２は、この実施の形態２では、省電力モード移行時にＣＰＵ１１から、出力信号（デジタル信号）１８を低レベルにするよう制御される。
【００２７】
さて、一般に、図４に示す構成のテレビの電子回路では、ユーザがモニタ１３の前に一定時間いない場合などにおいて、ＣＰＵ１１がオン／オフ制御信号１７をオフ指令にすることで、電源スイッチ１５が開路制御され、画像表示コントローラ１３への電源供給がオフすることで、省電力モードを実現している。このとき、モニタ１３への電源供給もオフとなる。一方で、テレビの全体制御を行うＣＰＵ１１と画像送信ブロック１２を含む回路ブロック１６は、電源供給がオン状態のまま維持される。
【００２８】
省電力モードになると、画像表示コントローラ１４への電源供給はオフとなり、当該コントローラに入力する出力信号１８を出力する画像送信ブロック１２は電源供給がオンの状態である。一般に、ＩＣ（集積回路）の入力信号の制約として、ＩＣの電源電圧とほぼ同程度の入力電圧の信号までしか許してない。そのため、省電力モード時に出力信号１８が高レベルの信号であると、画像表示コントローラ１４の入力部の制約を守れないことが多い。
【００２９】
そのため、この実施の形態２では、画像表示コントローラ１４への電源供給をオフにする際に、回路ブロック１６では、図３に示した手順で、画像送信ブロック１２の出力信号（デジタル信号）１８をいわゆるオールゼロである「全て低レベル」に制御し、画像表示コントローラ１４の入力部の制約を守るようにしている。
【００３０】
すなわち、図３において、ＣＰＵ１１は、ユーザがモニタ１３の前に一定時間いない場合などを検知すると（ステップＳ１：Ｙｅｓ）、直ちに、電源スイッチ１５へのオン／オフ制御信号１７をオフ指令にするのではなく、まず、画像送信ブロック１２に対し、その出力レベルを全て低レベルに固定するよう指示を出す（ステップＳ２）。すると、画像送信ブロック１２は、指示に従って出力信号１８を全て低レベルに保持制御する（ステップＳ３）。その後、ＣＰＵ１１は、電源スイッチ１５へのオン／オフ制御信号１７をオフ指令にし、画像表示コントローラ１４への電源供給をオフにする（ステップＳ４）。
【００３１】
これによって、画像表示コントローラ１４が電源オフの状態になった時には、当該コントローラ１４に入力する出力信号１８は確実に全て低レベルになっているので、当該コントローラ１４の入力部の破壊及び信頼性低下を防ぐことができる。
【産業上の利用可能性】
【００３２】
以上のように、本発明にかかる電子機器及び省電力制御方法は、電源供給をオフにして休止させる回路ブロックの入力部への信号入力経路に電気的接続を遮断する回路部品を追加することなく、該入力部を破壊から保護可能な電子機器及び省電力制御方法として有用である。
【符号の説明】
【００３３】
１  省電力制御を実施する電子機器
２  非省電力回路ブロック
２ａ  ＩＯコントローラ
２ｂ  ＣＰＵ
３  省電力回路ブロック
４  電源
５  電源オン／オフスイッチ
６  出力信号
【図１】
2012173882.tif 000003
【図２】
2012173882.tif 000004
【図３】
2012173882.tif 000005
【図４】
2012173882.tif 000006